(57)【特許請求の範囲】
【請求項１】
黒板の粉受け枠の下部にクリーナー収納枠を取り付け、このクリーナー収納枠に、黒板拭き受け部を有する黒板拭きクリーナーを、前記粉受け枠の直下に収納される収納位置と、この収納位置より手前側へ所要角度傾転して前記黒板拭き受け部が使用可能な状態に露出する使用位置との間で傾転自在に枢着してなり、前記黒板拭きクリーナーを、クリーナー本体とこれを載置固定する台座とで構成し、この台座をクリーナー収納枠に枢着してなることを特徴とする黒板。
【請求項２】
黒板拭きクリーナーとクリーナー収納枠との間に、黒板拭きクリーナーを常時収納位置に付勢するばねを介装してなることを特徴とする請求項１に記載の黒板。
【請求項３】
黒板拭きクリーナーを常時収納位置に付勢する錘を黒板拭きクリーナーの所要部に設けてなることを特徴とする請求項１に記載の黒板。
【発明の詳細な説明】
【０００１】
【発明の属する技術分野】
本発明は、黒板拭きを掃除する（黒板拭きからチョーク粉を取り去る）掃除機、即ちクリーナーを一体的に装備した黒板に関する。
【０００２】
【従来の技術及びその課題】
黒板拭きクリーナーとしては、従来より種々のものが提案され、且つ使用されている。しかしながら、従来の黒板拭きクリーナーは、黒板から離れた別の場所に設置されているため、使い勝手が悪く、例えば筆記中に汚れた黒板拭きを至急に掃除したい場合に時間がかかって不便であった。また、黒板の粉受け枠の下部にクリーナー収納用の引き出しを設けて、これに黒板拭きクリーナーを取り出し自在に収納するようにしたものも提案されているが、部品点数が多く、構造が複雑となる上に、クリーナーの出し入れが不便で、実用性に乏しかった。
【０００３】
本発明は、上記に鑑み、黒板拭きクリーナーを黒板本体に一体に装備することによって、クリーナーの使い勝手が良く、きわめて便利で、実用性のある黒板を提供することを目的とする。本発明の他の目的と利点は、後述する実施形態の説明から理解されよう。
【０００４】
【課題を解決するための手段】
請求項１に係る発明は、黒板の粉受け枠２の下部にクリーナー収納枠３を取り付け、このクリーナー収納枠３に、黒板拭き受け部９を有する黒板拭きクリーナー４を、前記粉受け枠２の直下に収納される収納位置Ａと、この収納位置Ａより手前側へ所要角度α傾転して前記黒板拭き受け部９が使用可能な状態に露出する使用位置Ｂとの間で傾転自在に枢着してなり、前記黒板拭きクリーナー４を、クリーナー本体４ａとこれを載置固定する台座４ｂとで構成し、この台座４ｂをクリーナー収納枠３に枢着してなることを特徴とする。
【０００５】
請求項２は、請求項１に記載の黒板において、黒板拭きクリーナー４とクリーナー収納枠３との間に、黒板拭きクリーナー４を常時収納位置Ａに付勢するばね２０を介装してなることを特徴とする。
【０００６】
請求項３は、請求項１に記載の黒板において、黒板拭きクリーナー４を常時収納位置Ａに付勢する錘２７を黒板拭きクリーナー４の所要部に設けてなることを特徴とする。
【０００８】
【発明の実施の形態】
図１は本発明に係る黒板の一部を示す正面図、図２は図１のＸ−Ｘ線断面図である。これらの図において、１は黒板の黒板本体、２は黒板本体１の下端縁に取り付けられた粉受け枠である。３は粉受け枠２の一端側下部に取り付けられたクリーナー収納枠、４はクリーナー収納枠３内に収納された黒板拭きクリーナーである。
【０００９】
クリーナー収納枠３は、夫々鋼板等の金属板よりなる、天板５、左右側板６，６、両側板６，６の下端から夫々内向き直角に突出する支持片７，７、及び左右両側板６，６の後端縁間に横架された背受け板８によって、前面側が全面的に開口した箱枠状に形成されている。このクリーナー収納枠３の取付けにあたっては、天板５を粉受け枠２の下面に当接させてボルト・ナット２４及び木ネジ２５により粉受け枠２及び黒板本体１に対し夫々固定する。背受け板８は、平面視略コ字状に形成されたもので、両端部の取付部片８ａ，８ａを左右側板６，６の夫々内面にビス２３で固定する。
【００１０】
黒板拭きクリーナー４は、クリーナー収納枠３に、黒板の粉受け枠２の直下に収納される収納位置Ａと、この収納位置Ａより手前側へ所要角度α（図２参照）傾転して前記黒板拭き受け部９が使用可能な状態に露出する使用位置Ｂとの間で傾転自在に枢着されている。
【００１１】
上記黒板拭きクリーナー４の取付構造について詳細に説明すると、先ず、この黒板拭きクリーナー４は、クリーナー本体４ａとこれを載置固定する台座４ｂとからなるもので、台座４ｂは、上板１０、左右端板１１，１１及び前板１２からなる鋼板等金属板製の台座本体１３と、この台座本体１３の前板１２に固着された木製の化粧板１４とによって形成され、台座本体１３の上板１０上にクリーナー本体４ａが前後左右の脚部材１５を介して取付け固定されている。
【００１２】
図１〜図４から分かるように、クリーナー収納枠３内に配置された黒板拭きクリーナー４の台座４ｂがクリーナー収納枠３に対し傾転可能に枢着されている。即ち、図４に示すように、台座本体１３の左右各端板１１に設けた挿通孔１６に、クリーナー収納枠３の各側板６の下端所要部に外面側からバーリング加工して形成した内向き短筒部１７を相対回転自在に嵌め込むと共に、この内向き短筒部１７に外側からボルト１８を突入し、このボルト１８にスペーサ１９を介してトーション（捩じり）ばね２０を巻装して、このばね２０の一端部２０ａを台座本体１３の上板１０裏面に係止すると共に、その他端部２０ｂをクリーナー収納枠３の支持片７に係止し、更にボルト１８の先端部にナット２１を螺合締結することにより、ボルト１８をクリーナー収納枠３の側板６に固定する。また、図２に示すように、台座本体１３の左右各端板１１の下端前部に傾転用切欠部２２を設け、更にクリーナー本体４ａの背面部を受けるクリーナー収納枠３の背受け板８にはゴム板等のクッション材２３を貼着する。
【００１３】
これによって、黒板拭きクリーナー４は、図２の実線図示のように黒板の粉受け枠２の直下に収納される収納位置Ａと、同図の仮想線図示のように収納位置Ａから所要角度αだけ手前側へ傾転して当該クリーナー４の黒板拭き受け部９が使用可能な状態に露出する使用位置Ｂとの間で傾転自在になると共に、前記トーションばね２０によって常時収納位置Ａに保持されるようになる。尚、このクリーナー４は、収納位置Ａでは背面部がクッション材２３を介して背受け板８に支持される。
【００１４】
したがって、黒板拭きクリーナー４を使用するときは、常時は図２の実線図示のように収納位置Ａに保持されている黒板拭きクリーナー４を、一方の手で同図の仮想線で示す使用位置Ｂまで引き倒して、黒板拭き受け部９を使用可能な状態に露出させ、この状態で、他方の手に持った黒板拭き２６を、黒板拭き受け部９に当てがって掃除すればよい。この黒板拭き２６の掃除が終われば、黒板拭きクリーナー４を使用位置Ｂに保持している手を放せば、この黒板拭きクリーナー４はトーションばね２０の付勢力で収納位置Ａに自動復帰することができる。
【００１５】
黒板拭きクリーナー４を常時収納位置Ａに保持するのに、上記のように黒板拭きクリーナー４とクリーナー収納枠３との間にばね２０を介装する代わりに、黒板拭きクリーナー４の台座４ｂ側の後端部に、図２の仮想線で簡単に示すような錘２７を取り付けるようにしてもよい。しかして、この場合のクリーナー収納枠３に対するクリーナー４の台座４ｂの枢着構造を図５に例示している。
【００１６】
即ち、この場合は、台座本体１３の左右各端板１１の挿通孔１６に、クリーナー収納枠３の各側板６にバーリング加工して形成した内向き短筒部１７を相対回転自在に嵌め込むと共に、この内向き短筒部１７に外側からボルト１８を突入し、このボルト１８の先端部にナット２１を螺合締結して、ボルト１８をクリーナー収納枠３の側板６に固定するだけでよいから、クリーナー４の台座４ｂの枢着構造がきわめて簡単となる。尚、図４及び図５において、２８は座金を示す。
【００１７】
以上説明したように、黒板拭きクリーナー４を黒板の粉受け枠２の下部に一体装備しているから、例えば筆記中に汚れた黒板拭き２６を至急に掃除したい場合には、黒板拭き２６を持った手と反対の手で、粉受け枠２の下部にある黒板拭きクリーナー４を手前側へ引いて使用位置Ｂとし、この使用位置Ｂで黒板拭き２６をクリーナー４の黒板拭き受け部９に当てがうことによって、迅速容易に黒板拭き２６の掃除が行える。掃除が終われば、黒板拭きクリーナー４を使用位置Ｂに保持している手を放すだけで、黒板拭きクリーナー４を元の収納位置Ａに自動復帰させることができるから、非常に便利かつ実用的である。
【００１８】
また、上述した黒板拭きクリーナー４の収納構造は、構成が簡単で部品点数が少ないから、製作が容易でコストを安くできると共に、故障が少なく、長く使用できる利点がある。また、クリーナー４が手前側へ突き出た使用位置Ｂから収納位置Ａへ自動復帰するから、使用後に収納し忘れる心配がなく、したがって子供が使用位置Ｂにあるクリーナー４にぶつかるなどして怪我をするおそれがなく、きわめて安全である。また、クリーナー収納枠３は、既設の黒板に簡単に取り付けることができる。
【００１９】
図６及び図７は、上述した黒板拭きクリーナー４のクリーナー本体４ａの具体例を示したもので、周知構造のものである。これらの図において、３１は本体ケースで、内部に電動送風機３２が設けてある。３３は電動送風機３２の前方に挿脱自在に設けた集塵袋で、本体開口３４に取り付けてある。３５は本体ケース３１の上部に設けられたカバーで、このカバー３５の上面に、黒板拭き２６を受けて案内する凹溝状の黒板拭き受け部９が形成されている。また、このカバー３５の本体開口３４と対向する部分にスリット状吸引口３６が設けてあり、この吸引口３６の口縁部にエアータイト用のリブ３７が形成してある。３８は回転体で、周面に羽根３９が設けられ、回転体３８には更に羽根３９と共に複数の突起４０が突設されている。４１は排気口、４２は電源スイッチである。
【００２０】
このようなクリーナー本体４ａにおいて、スイッチ４２を入れると、電動送風機３２が作動し、その吸引力で吸引口３６から空気を吸引する。吸引口３６から吸引した空気は図７の矢印で示すように流れ、排気口４１から排気される。この時、吸引口３６からの吸引空気流によって羽根３９付き回転体３８が回転する。回転体３８の回転によってその突起４０が吸引口３６より外方へ間欠的に突出するようになる。したがって、汚れた黒板拭き２６を黒板拭き受け部９に当てがって前後に摺動させると、黒板拭き２６の表面を打撃することになり、同時に送風機３２の吸引力が働いているので、黒板拭き２６の表面は打撃されながら吸引され、それによりチョーク粉は打撃による振動で落とされた後、吸引口３６へと吸引されることになる。
【００２１】
【発明の効果】
請求項１に係る発明によれば、黒板拭きクリーナーを黒板の粉受け枠の下部に一体装備しているから、例えば筆記中に黒板拭きを至急に掃除したい場合には、黒板拭きを持った手と反対の手で、黒板拭きクリーナーを手前側へ引いて使用位置まで倒し、この使用位置で黒板拭きをクリーナーの黒板拭き受け部に当てがうことによって、迅速容易に黒板拭きの掃除を行うことができる。また、この黒板拭きクリーナーの収納構造は、構成が簡単で部品点数が少ないから、製作が容易でコストを安くできると共に、故障が少なく、使用寿命が長い。
また、本発明によれば、黒板拭きクリーナーを、クリーナー本体とこれを載置固定する台座とで構成し、この台座をクリーナー収納枠に枢着するから、既製の黒板拭きクリーナーをそのまま台座に取り付けて使用することができ、また取外しも容易となる。
【００２２】
請求項２に係る発明によれば、黒板拭きクリーナーとクリーナー収納枠との間に、黒板拭きクリーナーを常時収納位置に付勢するばねを介装したことにより、黒板拭きクリーナーを使用した後は、このクリーナーを使用位置に保持している手を放せば、クリーナーを元の収納位置に自動復帰させることができるから、使用後に収納し忘れる心配がなく、したがって子供が使用位置にあるクリーナーにぶつかるなどして怪我をするおそれがなく、安全を確保できる。特に、ばねの付勢力を利用するから、クリーナーを収納位置に確実に保持することができる。
【００２３】
請求項３に係る発明によれば、黒板拭きクリーナーを常時収納位置に付勢する錘を黒板拭きクリーナーの所要部に設けているから、請求項２に係る発明と同様に、クリーナーを使用後に元の収納位置に自動復帰させることができて、収納し忘れる心配がなく安全を確保できる他に、この発明では錘を利用するから、クリーナー枢着部の構造がきわめて簡単となる。
【図面の簡単な説明】
【図１】  本発明に係る黒板の一部を示す正面図である。
【図２】  図１のＸ−Ｘ線断面図である。
【図３】  黒板拭きクリーナーの平面図である。
【図４】  クリーナー収納枠に枢着された黒板拭きクリーナーの枢着部の拡大詳細断面図である。
【図５】  黒板拭きクリーナーの枢着部の他の例を示す図４と同様な断面図である。
【図６】  クリーナー収納枠に収納される黒板拭きクリーナーのクリーナー本体の一例を示す斜視図である。
【図７】  同上のクリーナー本体の縦断面図である。
【符号の説明】
１              黒板本体
２              粉受け枠
３              クリーナー収納枠
４              黒板拭きクリーナー
４ａ            クリーナー本体
４ｂ            台座
９              黒板拭き受け部
Ａ              収納位置
Ｂ              使用位置
２６            黒板拭き
【図１】
0004245263.tif 000002
【図２】
0004245263.tif 000003
【図３】
0004245263.tif 000004
【図４】
0004245263.tif 000005
【図５】
0004245263.tif 000006
【図６】
0004245263.tif 000007
【図７】
0004245263.tif 000008